(57)【特許請求の範囲】
【請求項１】
タンクの内側においてパネルを互いに接続するために用いられる十字構造要素であって、  一体品に鍛造または鋳造されており、互いに交差する垂直ウエブを備えていることを特徴とする、十字構造要素。
【請求項２】
前記要素は、補剛材（１）をさらに備えていることを特徴とする、請求項１に記載の十字構造要素。
【請求項３】
前記補剛材（１）は、水平板材を含んでいることを特徴とする、請求項２に記載の十字構造要素。
【請求項４】
請求項１に記載の十字構造要素のアセンブリであって、前記要素は、互いに積み重ねられ、それらの互いに交差する垂直ウエブを介して互いに接続されていることを特徴とする、アセンブリ。
【請求項５】
完成したアセンブリは、横断溶接部を有しておらず、垂直方向の積重ね部を互いに接合する水平方向溶接部（２）のみを有していることを特徴とする、請求項４に記載のアセンブリ。
【請求項６】
前記水平方向溶接部は、前記垂直ウエブの水平縁の長さの全体にわたって延在しておらず、隙間（３）によって部分的に置き換えられていることを特徴とする、請求項４または５に記載のアセンブリ。
【請求項７】
板延長材が、溶接によって、前記垂直ウエブ間に挿入されていることを特徴とする、請求項４，５，または６のいずれかに記載のアセンブリ。
【請求項８】
請求項４〜７のいずれかに記載の少なくとも１つのアセンブリの使用であって、多数のパネルをそれらの交差点において接続するようになっていることを特徴とする、少なくとも１つのアセンブリの使用。
【発明の詳細な説明】
【技術分野】
【０００１】
本発明は、低温液化天然ガスを含む炭化水素のような流体を貯蔵および運搬するためのタンクに関する。このようなタンクの例として、船舶用タンク、波荷重を受ける浮遊式海洋構造物用タンク、および重力式海洋構造物用タンク、ならびに地震に晒される陸上タンクが挙げられる。
【背景技術】
【０００２】
タンクは、多くの異なる形状、例えば、一般的には、球、円筒、円錐、およびシェルの形状、ならびに角柱形状に設計されている。角柱形状の主な利点は、入れ子式に互いに近接させて重ねることによって、このようなタンクが占める容積を最小限に抑えることができることにある。単純な構造の角柱タンクは、曲げ作用に依存して強度を発揮するようになっているので、構造効率が劣ることになる。シェルは、当該シェルの面内の直接的な張力によって強度を発揮するようになっている。これによって、同一量の材料の場合、より大きな強度がもたらされることになる。
【０００３】
角柱形状のより効率的な設計は、不均衡な負荷を吸収するために、内部支柱（張力梁）およびフレームを組み入れることである。例えば、タンク内容物の加速による非対称な負荷成分を吸収するために、ウエブフレームによって増大した内部荷重または内圧を拘束する主な手段として支柱を用いることによって、このような支柱が組み入れられた角柱タンクは、構造効率の観点から、シェル形状に匹敵するものとなる。特許文献１は、このようなタンクを開示している。この文献は、参照することによって、ここに含まれるものとする。
【０００４】
構造的強度を高める以外に、支柱およびウエブフレームは、波運動によって生じたスロッシングを緩和する働きがある。スロッシングによって張力支柱およびウエブフレームに加えられる水平荷重は、梁およびウエブによって吸収されることになる。
【０００５】
一部の金属構造体は、母材よりも低強度を呈する溶接接続部を有している。これは、特に、低温用途に適するいくつかの合金に当てはまる。中心面から離れて加えられる荷重を支えるウエブフレームまたは壁は、交差するフレームまたは壁の形態にある支持部において最大曲げを受けることになる。より効率的な設計は、溶接接続部をこの支持部から離し、応力の低い変曲点に可能な限り接近させることである。このような低強度の溶接部を高応力の領域から離して配置することは、安全性の理由からも望ましい。このような低強度溶接部は、極めて局部的な降伏をもたらし、過剰な熱応力または他の偶発的な荷重が加えられた場合、殆ど変形することなく時期尚早の破壊を生じることがある。これは、特に、低温積荷および可燃性積荷の場合には、危機的な状況をもたらすことになる。
【先行技術文献】
【特許文献】
【０００６】
【特許文献１】国際特許出願公開第２００６／００１７１１Ａ２号パンフレット
【発明の概要】
【発明が解決しようとする課題】
【０００７】
本発明の目的は、ウエブフレーム間の交差点およびその近傍において十分な強度を呈するアセンブリによって、互いに直角に交差するパネル間の接続部を得ることにある。
【課題を解決するための手段】
【０００８】
本発明の目的は、十字形金属要素を型鍛造によって形成し、垂直方向に重ねたこれらの金属要素を互いに溶接し、十字形パネルを作製することによって、達成されている。このような十字形鍛造品は、単純な板材であってもよいし、または種々の断面の補剛材を組み入れていてもよい。本発明は、以下のように構成されている。
【０００９】
タンクの内側においてウエブフレームまたは壁を互いに接続するために用いられる十字構造要素において、該要素は、一体品に鍛造または鋳造されており、互いに交差する垂直ウエブを備えている。
【００１０】
十字形要素は、補剛材をさらに備えていてもよい。補剛材は、水平板材から構成されていてもよい。
【００１１】
本発明による十字構造要素のアセンブリにおいて、前記要素は、互いに積み重ねられ、それらの互いに交差する垂直ウエブを介して、互いに接続されている。
【００１２】
完成したアセンブリは、横断溶接部を有しておらず、垂直方向の積重ね部を互いに接合する水平方向溶接部のみを有している。
【００１３】
好ましい実施形態では、アセンブリの水平方向溶接部は、垂直ウエブの水平縁の長さの全体にわたって延在しておらず、隙間によって部分的に置き換えられている。
【００１４】
前記アセンブリにおいて、板延長材が、溶接によって、垂直ウエブ間に挿入されていてもよい。
【００１５】
前述した少なくとも１つのアセンブリの使用であって、多数のウエブフレーム、壁、および／またはパネルをそれらの交差点において接続するようになっている、アセンブリの使用も、本発明によって構成されている。
【００１６】
本発明では、「パネル」という用語は、ウエブフレーム、壁、および板材という用語を含むとみなされており、押出成形された梁から作製されていてもよい。
【００１７】
以下、添付の図面に概略的に示されている例示的実施形態を参照して、本発明のさらなる詳細について説明する。
【図面の簡単な説明】
【００１８】
【図１】鍛造による十字形要素の平面斜視図である。
【図２】鍛造による十字形要素の断面を示す図である。
【図３】十字形鍛造品の溶接アセンブリの斜視図である。
【図４】十字形鍛造品のアセンブリを組み入れている構造体の斜視図である。
【図５】ウエブフレームまたは壁を有するタンクの内部の斜視図である。
【発明を実施するための形態】
【００１９】
図１は、鍛造による十字形要素の平面斜視図であり、図２は、鍛造による十字形要素の断面図である。これらの図は、補剛材１を示している。補剛材１は、種々の形状および厚みを有していてもよく、または省略されていてもよい。
【００２０】
図３は、水平溶接線２によって互いに接合されたこのような十字形要素のアセンブリの斜視図である。このアセンブリは、図示されているように、隙間３を含んでいるとよい。加えて、溶接部が示されている箇所に、板延長材が追加的に設けられてもよい。
【００２１】
図４は、このような十字形鍛造品のアセンブリの斜視図である。この場合、補剛材は、単純板材４である。十字形鍛造品のアセンブリは、押出成形された梁から作製されてタンクの外殻に支持されている２つの互いに交差しているパネル、ウエブフレーム、または壁に接続されている。
【００２２】
図５は、押出成形された梁から作製されたパネルを有するタンクの内部の斜視図である。ここでは、これらのパネルは、交差点において、十字形パネルによって互いに接続されている。
【図１】
0005536893.tif 000002
【図２】
0005536893.tif 000003
【図３】
0005536893.tif 000004
【図４】
0005536893.tif 000005
【図５】
0005536893.tif 000006